(57)【特許請求の範囲】
【請求項１】
棒状又は紐状のワークの長手方向途中に特定部材が取付られ、この特定部材の取付位置が所定の位置にあるか否かを目視により調べるときに使用される検査治具であって、
この検査治具は、前記ワークを載せる検査台と、前記ワークの長手方向に移動可能に前記検査台に取付けられるスライダとからなり、
前記検査台は、前記ワークの一端部を位置決めしつつ挟むワーク挟持部を備えると共にこのワーク挟持部から所定距離だけ離れた部位に付され前記特定部材の中央位置の合格範囲を示す合格範囲表示部を備え、
前記スライダは、外から前記合格範囲表示部を透視することができる透視部を備え、この透視部に３本の平行な線を備え、
これらの３本の線は、前記ワークの長手軸に直角に引かれる第１の線と、前記第１の線から前記特定部材の長さだけ離した位置に引かれる第２の線と、この第２の線と前記第１の線との中間に引かれるセンターラインとからなり、
前記検査台に前記ワークを位置決めし、前記第１の線及び第２の線が前記特定部材の一端及び他端に重なるように前記スライダを移動させ、この移動後に前記センターラインが前記合格範囲表示部内にあるか否かで合否判定することができることを特徴とする検査治具。
【請求項２】
前記ワークは、スイッチボックスと、このスイッチボックスから延びる複数本のハーネスと、これらのハーネスの先端に取付けられるカプラーとからなり、
前記特定部材は、前記複数本のハーネスを束ねる結束テープであることを特徴とする請求項１記載の検査治具。
【請求項３】
前記ワーク挟持部は、前記カプラーを挟む形態とされ、前記ワーク挟持部の近傍にて、前記検査台に、前記カプラーを示す写真又はイラストが付されていることを特徴とする請求項２記載の検査治具。
【発明の詳細な説明】
【技術分野】
【０００１】
本発明は、棒状又は紐状のワークの長手方向途中に特定部材が取付られ、この特定部材の取付位置が所定の位置にあるか否かを目視により調べるときに使用される検査治具に関する。
【背景技術】
【０００２】
棒状のワークの検査治具は、各種のものが知られている（例えば、特許文献１（図４）参照。）。
【０００３】
特許文献１を次図に基づいて説明する。
図７は従来の検査治具の斜視図であり、検査治具１００は、同軸ケーブル１０１の端末の形状の良否を判定する治具であり、Ｖ字溝１０２を有する固定側電極板１０３と、Ｖ字溝１０４を有し固定側電極板１０３に接離する可動側電極板１０５と、この可動側電極板１０５を移動させるエアシリンダ１０６と、可動側電極板１０５の位置を監視する位置検出センタ１０７とからなる。
【０００４】
固定側電極板１０３と可動側電極板１０５とで同軸ケーブル１０１の端末を挟み、電気的なデータを取得し、内部絶縁被覆１０８の長さが適当であるか否かを調べることができる。
【０００５】
ところで、類似した棒状のワークとして、図８に示す電装品がある。
図８に示すように、ワーク１１０は、シーソースイッチ１１１を有するスイッチボックス１１２と、このスイッチボックス１１２から延びる複数本（この例では２本）のハーネス１１３、１１４と、これらのハーネス１１３、１１４の先端に取付けられるカプラー１１５と、複数本のハーネス１１３、１１４を束ねる結束テープ１１６とからなる。
【０００６】
カプラー１１５は、本体部より小径で角柱形状のネック部１１７を備え、このネック部１１７からハーネス１１３、１１４が延びる。後の説明に使用するので、ネック部１１７の厚さをＤ１、結束テープ１１６の長さをＤ２とする。
【０００７】
車体フレームに沿って延ばされるメインハーネスにカプラー１１５を結合することで、シーソースイッチ１１１のオンオフ情報を、車載制御部へ送ることができる。そのため、自動二輪車等の車両では、上記形態のワーク１１０は、多数使用される。
【０００８】
ところで、結束テープ１１６は、ハーネス１１３、１１４を効果的に結束させるには、自ずと最適位置が定まる。この最適位置から大きくずれている場合には、不合格となる。
【０００９】
結束テープ１１６の位置を検査する検査治具は、図９に示される検査治具１２０が考えられる。すなわち、特許文献１の検査治具１００に類似する検査治具１２０で、従来は、次のような検査が行われてきた。
検査治具１２０の固定側ブロック１２１と、エアシリンダ１２２で駆動される可動側ブロック１２３とで、カプラー１１５を挟持する。これで、カプラー１１５の位置決めもなされる。
【００１０】
検査員は、例えば右手１２６でスイッチボックス１１２を引き、左手１２７でゲージプレート１２８を持ち、このゲージプレート１２８をネック部１１７の端部に当てながらハーネス１１３、１１４に沿わせる。結束テープ１１６が、合格範囲１２９に収まっていれば合格と判定する。
【００１１】
しかし、検査治具１２０には次に述べる問題点がある。
先ず、エアシリンダ１２２が必要であるため、このエアシリンダ１２２に高圧空気を送る空気源が必要となり、高圧空気の供給停止を行う切替弁が必要となるため、検査治具１２０は大規模になり、重くなる。
【００１２】
また、スイッチボックス１１２を引き、ゲージプレート１２８を持つには、所定以上の握力が必要である。
また、スイッチボックス１１２を引き、ゲージプレート１２８を持つには、両手作業が前提となる。
【００１３】
近年、棒状又は紐状のワークの検査のような軽作業を、障がい者に委ねることが企画されている。障がい者の社会的自立を促すことが期待できるからである。
ところで、障がい者には、手指機能の弱い者（以下、弱手作業者と記す。）や片手のみ自由になる者（以下、片手作業者と記す。）が多く含まれる。
このような弱手作業者や片手作業者では、検査治具１２０は使いこなせない。
【００１４】
そこで、弱手作業者や片手作業者であっても、使える検査治具が求められる。
【先行技術文献】
【特許文献】
【００１５】
【特許文献１】特開２００１−２０４１１５公報
【発明の概要】
【発明が解決しようとする課題】
【００１６】
本発明は、弱手作業者や片手作業者であっても、使える検査治具を提供することを課題とする。
【課題を解決するための手段】
【００１７】
請求項１に係る発明は、棒状又は紐状のワークの長手方向途中に特定部材が取付られ、この特定部材の取付位置が所定の位置にあるか否かを目視により調べるときに使用される検査治具であって、
この検査治具は、前記ワークを載せる検査台と、前記ワークの長手方向に移動可能に前記検査台に取付けられるスライダとからなり、
前記検査台は、前記ワークの一端部を位置決めしつつ挟むワーク挟持部を備えると共にこのワーク挟持部から所定距離だけ離れた部位に付され前記特定部材の中央位置の合格範囲を示す合格範囲表示部を備え、
前記スライダは、外から前記合格範囲表示部を透視することができる透視部を備え、この透視部に３本の平行な線を備え、
これらの３本の線は、前記ワークの長手軸に直角に引かれる第１の線と、前記第１の線から前記特定部材の長さだけ離した位置に引かれる第２の線と、この第２の線と前記第１の線との中間に引かれるセンターラインとからなり、
前記検査台に前記ワークを位置決めし、前記第１の線及び第２の線が前記特定部材の一端及び他端に重なるように前記スライダを移動させ、この移動後に前記センターラインが前記合格範囲表示部内にあるか否かで合否判定することができることを特徴とする。
【００１８】
請求項２に係る発明では、ワークは、スイッチボックスと、このスイッチボックスから延びる複数本のハーネスと、これらのハーネスの先端に取付けられるカプラーとからなり、前記特定部材は、前記複数本のハーネスを束ねる結束テープであることを特徴とする。
【００１９】
請求項３に係る発明は、ワーク挟持部は、前記カプラーを挟む形態とされ、前記ワーク挟持部の近傍にて、前記検査台に、前記カプラーを示す写真又はイラストが付されていることを特徴とする。
【発明の効果】
【００２０】
請求項１に係る発明では、ワークを検査台に載せるため、このワークの端部は、手の平で押さえる程度で止めることができる。スライダも検査台に移動可能に載せられているので、手で押し引きする程度で移動させることができる。
すなわち、本発明によれば、弱手作業者であっても、使用可能な検査治具が提供される。
【００２１】
また、ワークが小形であれば、ワークの端部を押さえる手で、スライダをも移動させることが可能となる。結果、片手作業者であっても、使用可能な検査治具が提供される。
加えて、エアシリンダ等のアクチュエータが不要であるため、検査治具の小型、軽量化が容易に達成できる。
【００２２】
請求項２に係る発明では、スイッチボックスと、複数本のハーネスと、これらのハーネスの先端に取付けられるカプラーと、複数本のハーネスを結束する結束テープからなる電送部品の検査を、弱者作業者や片手作業者に行わせることができる。
【００２３】
請求項３に係る発明は、検査台のワーク挟持部近傍に、カプラーを示す写真又はイラストが付されている。ハーネスの一端にスイッチボックスが取付けられ、他端にカプラーが取付けられていると、ワーク挟持部にカプラーとスイッチボックスの何れを臨ませるかの選択が重要になる。ワーク挟持部に誤ってスイッチボックスを臨ませると、セットをやり直す必要があり、作業能率が低下する。
本発明では、検査台にカプラーを示す写真又はイラストが付されているため、作業者はこの写真又イラストに合わせてカプラーをワーク挟持部に臨ませる。
誤セットが無くなるため、作業能率の向上が図れる。
【図面の簡単な説明】
【００２４】
【図１】本発明に係る検査治具の分解斜視図である。
【図２】検査治具の平面図である。
【図３】図２の３−３線断面図である。
【図４】図２の４−４線断面図である。
【図５】検査治具の作用説明図である。
【図６】片手作業の様子を示す図である。
【図７】従来の検査治具の斜視図である。
【図８】紐状のワークの斜視図である。
【図９】従来の検査方法を説明する図である。
【発明を実施するための形態】
【００２５】
本発明の実施の形態を添付図に基づいて以下に説明する。
【実施例】
【００２６】
本発明の実施例を図面に基づいて説明する。
図１に示すように、検査治具１０は、ワーク（図８、符号１１０）を載せる検査台２０と、ワークの長手方向に移動可能に検査台２０に取付けられるスライダ３０とからなる。
【００２７】
検査台２０は、カプラー（図８、符号１１５）の一部を収納する収納溝２１を一端に有する矩形台板２２と、この矩形台板２２の下面に付した脚材２３、２３と、矩形台板２２に設けられワークの一端部を位置決めしつつ挟むワーク挟持部２４と、ワーク挟持部２４から所定距離だけ離れた部位に付され特定部材（図８、符号１１６）の中央位置の合格範囲を示す合格範囲表示部２５と、矩形台版２２の他端に付されたストッパ兼ワーク載せ台２６とからなる。
【００２８】
スライダ３０は、アクリル板などからなる透視部３１と、この透視部３１の両端に付属されるＬ字部材３２、３２とからなり、透視部３１に３本の平行な線３３、３４、３５を備えている。
【００２９】
これらの３本の線３３、３４、３５は、ワークの長手軸に直角に引かれる第１の線３３と、第１の線３３から特定部材（特定部材は、例えば図８に示される結束テープ１１６である。）の長さＤ２だけ離した位置に引かれる第２の線３４と、この第２の線３４と第１の線３３との中間に引かれるセンターライン３５とからなる。
【００３０】
図２に示すように、スライダ３０の透視部３１を通して、合格範囲表示部２５が見える。スライダ３０は、ストッパ兼ワーク載せ台２６に当たるまで、図上下に移動させることができる。
【００３１】
図３に示すように、ワーク挟持部２４は、矩形台板２２から立てた支柱３７と、この支柱３７の上部から矩形台板２２に平行に延ばしたアーム３８とからなり、アーム３８と矩形台板２２との間隔Ｄ３は、図８に示すカプラー１１５のネック部１１７の厚さＤ１に０．５〜１．５ｍｍを加えた値に設定される。
【００３２】
図４に示されるように、スライダ３０は、Ｌ字部材３２、３２で水平移動（図で左右の移動）及び垂直移動（図で上下の移動）が規制されているため、図面表裏方向へのみ移動する。
【００３３】
以上の述べた検査治具１０の作用を図５に基づいて説明する。
図５（ａ）に示すように、収納溝２１にカプラー１１５を嵌め、結束テープ１１６がスライダー３０に載り、スイッチボックス１１２がストッパ兼ワーク載せ台２６に載るようにして、ワーク１１０を検査治具１０に載せる。
【００３４】
次に、矢印（１）のように、ワーク１１０を横移動させ、ネック部１１７をワーク挟持部２４へ挿入する。次に、第１の線３３が結束テープ１１６の一端１１６ａに重なり、第２の線３４が結束テープ１１６の他端１１６ｂに重なるように、スライダ３０を移動する（矢印（２））。
【００３５】
結果、図５（ｂ）に示すように、ワーク挟持部２４でカプラー１１５のネック部１１７が挟まれる。また、第１の線３３が結束テープ１１６の一端１１６ａに重なり、第２の線３４が結束テープ１１６の他端１１６ｂに重なっている。この状態で、センターライン３５が合格範囲表示部２５に収まっているか否かを目視で確認する。図では収まっているので合格である。
【００３６】
ワーク１１０を検査治具１０に載せるため、このワーク１１０の端部（この例ではスイッチボックス１１２）は、手の平で押さえる程度で止めることができる。スライダ３０も検査治具１０に移動可能に載せられているので、手で押し引きする程度で移動させることができる。
すなわち、本発明によれば、弱手作業者であっても、使用可能な検査治具が提供される。
【００３７】
次に、片手作業の形態を説明する。
ワークが小形で、検査治具１０が小型であれば、図６に示すように、片方の手３９でスライダ３０を操作することができる。並行して、手の平４１でスイッチボックス１１２をストッパ兼ワーク載せ台２６に押さえることができる。結果、片手作業が可能となる。
【００３８】
また、好ましくは、ワーク挟持部２４の近傍にて、検査台２０に、カプラー１１５を示す写真（又はイラスト）４２を付すことが推奨される。写真４２等は、貼り付け、焼き付け、プリントの何れの方法でも簡単に付すことができる。
【００３９】
ハーネス１１３、１１４の一端にスイッチボックス１１２が取付けられ、他端にカプラー１１５が取付けられていると、ワーク挟持部２４にカプラー１１５とスイッチボックス１１２の何れを臨ませるかの選択が重要になる。ワーク挟持部２４に誤ってスイッチボックス１１２を臨ませると、セットをやり直す必要があり、作業能率が低下する。
本発明では、検査台２０にカプラー１１５を示す写真（又はイラスト）４２が付されているため、作業者はこの写真（又イラスト）４２に合わせてカプラー１１５をワーク挟持部２４に臨ませる。誤セットが無くなるため、作業能率の向上が図れる。
【００４０】
尚、本発明の検査治具は、カプラーからハーネスが延び、このハーネスの途中にテープが巻かれている電装品の検査に好適であるが、検査対象物は、棒状のワーク又は紐状のワークであって、長手方向の途中に突起や瘤や分岐や小部品（これらは全て特定部材となる。）などが付されているときに、特定部材の位置が所定の位置にあるか否を確かめる必要があるワークであれば良く、ワークの種類は任意である。
【産業上の利用可能性】
【００４１】
本発明の検査治具は、カプラーからハーネスが延び、このハーネスの途中にテープが巻かれている電装品の検査に好適である。
【符号の説明】
【００４２】
１０…検査治具、２０…検査台、２４…ワーク挟持部、２５…合格範囲表示部、３０…スライダー、３１…透視部、３３…第１の線、３４…第２の線、３５…センターライン、４２…写真、１１０…ワーク、１１２…スイッチボックス、１１３、１１４…ハーネス、１１５…カプラー、１１６…特定部材（結束テープ）。
【図１】
0005439227.tif 000002
【図２】
0005439227.tif 000003
【図３】
0005439227.tif 000004
【図４】
0005439227.tif 000005
【図５】
0005439227.tif 000006
【図６】
0005439227.tif 000007
【図７】
0005439227.tif 000008
【図８】
0005439227.tif 000009
【図９】
0005439227.tif 000010